(57)【特許請求の範囲】
【請求項１】
屋根面に、勾配方向に沿って延びる流し桟（１）を所定間隔で配設すると共に、当該流し桟（１）の上に横方向に延びる瓦桟（２）を瓦の登り寸法間隔で配設し、瓦（３）を、前記瓦桟（２）上の、屋根面の勾配方向及び横方向に並べて葺く瓦葺き工法において、
前記屋根面に、前記瓦桟（２）を固定する為のアンカ（４）を、各瓦桟（２）上であって隣り合う流し桟（１，１）間の中間部に相当し、且つ垂木（２２）に支持された位置に打ち込むことを特徴とする瓦葺き工法。
【発明の詳細な説明】
【０００１】
【発明の属する技術分野】
本発明は、屋根に瓦を葺く際の工法に関する。
【０００２】
【従来の技術】
従来、屋根に瓦を葺く工法として、野地板上に屋根の勾配方向へ瓦の登り寸法間隔で瓦桟を配設し、当該瓦桟へ瓦の上部裏面に設けられた爪を掛けて葺いていく所謂引っ掛け桟工法が用いられているが、更に、強風雨時等において防水性を高めるべく、前記瓦桟の下に屋根の流れ方向に沿った流し桟を適宜間隔で配設する形で（所謂流し桟工法）用いられている場合も多い。
【０００３】
【発明が解決しようとする課題】
しかしながら、従来の流し桟工法は、図１（ロ）の如く瓦桟２を、流し桟１と共に野地板６へアンカ４にて固定し、その際、図３（ハ）の如く当該アンカ４が前記野地板６を下方より支持する垂木２２へも刺し入れられる様に打ち付けていた為に、図３（ニ）の如く流し桟１が配設されていない部分の瓦残２が瓦の重量により野地板６と接するまで経時的に押し下げられ、更に期間が経過すると野地板６と共に経時変形して押し下げられることにもなる。その結果、雨水等の通り道がアンカ４を打ち付けた流し桟１の領域に集中し、流し桟１と瓦桟２との間に存在する微少な隙間に湿気が滞る結果、瓦桟２を固定する為に打ち込まれているアンカ４や当該アンカ４の打ち込み孔付近の野地板６、更には垂木２２までが腐食し、瓦３の長期間に亘る取付強度を損なうのみならず、屋根の耐用期間を短縮する要因ともなる。
【０００４】
本発明は、上記実情に鑑みて成されたものであって、瓦の取付強度並びに屋根の良好な状態を長期間に亘って維持し得る瓦葺き工法の提供を目的とする。
【０００５】
【課題を解決するための手段】
上記課題を解決するために成された本発明による瓦葺き工法は、屋根面に、勾配方向に沿って延びる流し桟を所定間隔で配設すると共に、当該流し桟の上に横方向に延びる瓦桟を瓦の登り寸法間隔で配設し、瓦を、前記瓦桟上の、屋根面の勾配方向及び横方向に並べて葺く瓦葺き工法において、前記屋根面に、前記瓦桟を固定する為のアンカを、各瓦桟上であって隣り合う流し桟間の中間部に相当し、且つ垂木に支持された位置に打ち込むことを特徴とする。
【０００６】
尚、前記上部裏面に係止部が突設された瓦とは、特開平７−１０７３６４号公報に開示されている様に、横桟に係止する為の係止用突部が形成されているものを言う。また、前記アンカとは、釘やボルトなど、屋根面を貫通して固定することの出来る部材を言う。
【０００７】
【発明の実施の形態】
以下、本発明による瓦葺き工法の実施の形態を図面に基づき説明する。
図１（イ）は、瓦３を葺く前の屋根の下地状態を示したものである。
【０００８】
この状態は、屋根の野地板６上に、下地として厚さ１ｍｍ程度の厚めのアスファルト系防水シート７を敷設し、その上に、強風雨の際における防水性を高めるべく、勾配方向へ延びる流し桟１としてルーフテープ（以下、ルーフテープ１と記す。）をそのアンカたるタッカ針８、或いは接着剤等で、例えば、瓦幅の二倍の間隔といった所定幅間隔で配設する。
【０００９】
更に、前記ルーフテープ１上に渡しかける形で、勾配に対して直角な方向へ延びる断面寸法が１５ｍｍ×３６ｍｍ程度の太めの瓦桟２を、瓦の登り寸法間隔で配設する。固定する際のアンカ４としては、耐腐食性及び耐久性の高いステンレススクリュー釘を用い、前記ルーフテープ１上にあたる部分は避けて、当該瓦桟２上における隣り合うルーフテープ１，１間の中間部に相当し、且つ屋根面の垂木２２に支持された位置に、当該野地板６を貫通して当該野地板６を支える垂木２２にまで差し入れられる様にねじ込む形で打ち込む。
【００１０】
上記の流し桟工法によれば、図３（イ）の如く瓦桟２は流し桟１と異なる位置に固定され、且つ屋根面を下方より支持する強度を備えた垂木２２上に打ち付けられる。流し桟１上に渡しかけられた瓦桟２は、図３（ロ）の如く瓦３の重量によって経時的に押し下げられるが、前記瓦桟２の屋根面固定部の下がりは、前記瓦桟２が屋根面に当接する程度に止まる。結果として、アンカ４が打ち込まれている部分の雨水の通り道を塞ぐこととなり、瓦桟２を固定する為に打ち込まれているアンカ４や当該アンカ４の打ち込み孔付近の野地板６、更には垂木２２への雨水の浸入が防止され、それらの消耗が軽減されることとなる。
【００１１】
一方、前記一本の瓦桟２において隣接する屋根面固定部間の中間部は、瓦の重量により流し桟１及びそれに押された野地板６が共に接したまま経時的に押し下げられる。その結果、雨水がアンカ４を打ち付けた領域を避けて流し桟１近傍に集中して雨水の通り道となる、しかしながら、前記流し桟１が、前記アスファルト系防水シート７の性状によって自然に封じられる程度に刺し孔の小さいタッカ針８で固定されている為に、流し桟１と瓦桟２との間に存在する微少な隙間に湿気が滞ったとしても、垂木２２までの雨水の浸入が回避され、瓦３の長期間に亘る取付強度を損なうこともなく、屋根の耐用期間を短縮することもなくなる。
【００１２】
上記の如く完成した下地に、上部裏面に係止部が突設された瓦３を、前記瓦桟２に当該係止部を掛ける形で、屋根面の勾配方向及び横方向に並べて葺いていく。当該例で用いられる瓦３は、桟瓦であり、前記の如く係止部が設けられている他、瓦３の上部に二箇所と右中央部に一箇所、瓦緊結材たるステンレススクリュー釘９を打ち込む為の緊結孔２３が設けられている。当該瓦３は、当該緊結孔２３を通して瓦３が下地の野地板６に図１（イ）の如く固定される、特に屋根のけば部に葺かれる瓦３は前記緊結孔２３を全て使って三点止めされるが（図５参照）、他の部分については、瓦３上部の内側の緊結孔２３のみを用いて緊結しても十分な固定強度が得られている。
【００１３】
更に、当該例で用いられている瓦３は、図４の如く、瓦の左上隅と右下隅に、当該隅を構成する二つの辺から直角に切り込まれた切欠部１０，１１が設けてある。これらの切欠部１０，１１は、対角方向に隣り合う瓦３ａ，３ｂについて相互に嵌り合って、相互の瓦３ａ，３ｂが葺かれている状態を安定させるものである。前記瓦３の右下隅の切欠部１０には、切欠部１０を望む二つの内面１２，１２からその厚みの下半分に相当する凸片１３がせり出し、瓦３の左上隅の切欠部１１を望む二つの内面１４，１４には、対角方向に隣り合い上位に位置する瓦３ａの前記凸片１３が収まる凹部１５が当該凸片１３を上方から押さえ得る形に設けられている。この様な構造を持つことによって、各瓦３の左上隅の切欠部１１に設けられた凹部１５は、当該瓦３（３ｂ）に対して対角方向上位の瓦３（３ａ）の前記凸片１３を介して、当該上位の瓦３（３ａ）の下部の浮きを防止することとなる。
【００１４】
そして、前記の如く瓦３の上部及び中央部においてステンレススクリュー釘９による瓦３と野地板６との緊結が行われていることとが相俟って、強風による瓦の飛散や、震災による瓦３の脱落が防止されることとなる。前記ステンレススクリュー釘９による緊結は、屋根面に葺かれた全ての瓦３について施される訳では無く、従来は、図５（ロ）の如く、屋根１６の軒部及び袖、並びにその中間部を横一列に並ぶ瓦について緊結していたが、前記瓦３の嵌り合い構造からみて、図５（イ）の如く千鳥並びの位置関係にある瓦３を緊結する手法を採ることで、瓦３の定着性を高めている。
【００１５】
また、屋根の棟部にあっては、従来葺土や漆喰で固定しながら熨斗瓦１７を積み重ね、相反する傾斜方向に存在し対となる熨斗瓦１７を１９番手程度の銅線１８で連結して支持すると共に、下地に固定されたアンカ２１から棟の頂部へ引き出された１８番手程度の銅線１９でがん振り瓦２０を固定する工法が用いられているが、葺土や漆喰を熨斗瓦１７間に充填することで全体の形状を維持していることから、強風や豪雨等で前記葺土や漆喰が流出すると棟部の変形、ひいては雨漏りや棟崩れが生じる危険がある。
【００１６】
そこで、当該例においては、赤土と砂とセメントを混合して前記熨斗瓦１７間に充填して固化させることによって強風や豪雨による充填物の流出を防止し、棟部の形状維持を図ると共に、震災や強風による棟崩れの防止に効を奏している（図６参照）。
【００１７】
【発明の効果】
以上の如く本発明による瓦葺き工法によれば、瓦桟を固定する為に打ち込まれているアンカや当該アンカの打ち込み孔付近の野地板、更には垂木に至る腐食が防止され、瓦の長期間に亘る取付強度を長期に渡って維持し、屋根の耐用期間を延ばすことができると共に、震災や強風等にあっても被害を従来よりも少なくすることが可能となる。
【図面の簡単な説明】
【図１】（イ）（ロ）
（イ）は本発明による瓦葺き工法の施工態様の一部を示す斜視図であり、（ロ）は従来の瓦葺き工法の施工態様の一部を示す斜視図である。
【図２】（イ）（ロ）（ハ）
本発明による瓦葺き工法の施工態様の下地造りの一部を示す斜視図である。
【図３】（イ）（ロ）（ハ）（ニ）
（イ）（ロ）は本発明による瓦葺き工法、（ハ）（ニ）は従来の瓦葺き工法による下地の施工後の推移の一例を示す側方から見た説明図である。
【図４】瓦に設けられた切欠部の一例を示す要部斜視図である。
【図５】（イ）（ロ）
（イ）はここで示した例において採用されている瓦緊結材によって緊結されている瓦の配置、及（ロ）は従来から採用されている配置の一例をそれぞれ示すレイアウト図である。
【図６】ここで示した例において採用されている棟瓦固定構造を示す断面図である。
【符号の説明】
１  流し桟，２  瓦桟，３  瓦，４  アンカ，６  野地板，
７  防水シート，８  タッカ針，９  ステンレススクリュー釘，
１０，１１  切欠部，１２  内面，１３  凸片，１４  内面，１５  凹部，
１６  屋根，１７  熨斗瓦，１８，１９  銅線，２０  がん振り瓦，
２１  アンカ，２２  垂木，２３  緊結孔，
【図１】
0003565826.tif 000002
【図２】
0003565826.tif 000003
【図３】
0003565826.tif 000004
【図４】
0003565826.tif 000005
【図５】
0003565826.tif 000006
【図６】
0003565826.tif 000007